(57)【要約】  ユーザ機器（ＵＥ）は、ノーマルアップリンクキャリアおよび補助アップリンクキャリアのうちの少なくとも１つのアップリンクキャリアを用いて構成される。ＵＥは、測定されたＲＳＲＰが閾値を下回る場合、補助アップリンクキャリアを選択する。ＵＥは、選択された補助アップリンクキャリアに関連して構成されたランダムアクセスリソースを用いてランダムアクセスプリアンブル送信を実行する。
2021510271.tif 000002
【特許請求の範囲】
【請求項１】
無線通信のためのユーザ機器（ＵＥ）であって、
１つ以上の非一時的なコンピュータ読み取り可能媒体であって、実行可能命令を有するコンピュータ読み取り可能媒体、および
前記１つ以上の非一時的なコンピュータ読み取り可能媒体に結合され、前記実行可能命令を実行するように構成される少なくとも１つのプロセッサ、
を備え、
前記少なくとも１つのプロセッサは、前記実行可能命令を実行して、
少なくとも２つのアップリンクキャリアに関連付けられた構成情報を受信し、
前記ＵＥによって測定された第１のダウンリンク参照信号のパワーが第１の閾値を下回る場合、前記少なくとも２つのアップリンクキャリアの１つを選択し、
前記ＵＥによって測定された第２のダウンリンク参照信号が第２の閾値を上回る場合、前記選択されたアップリンクキャリア上で前記第２のダウンリンク参照信号に関連付けられたコンテンションフリーランダムアクセス（ＣＦＲＡ）リソースを選択し、および
前記選択されたＣＦＲＡリソースおよび前記選択されたアップリンクキャリアを用いてランダムアクセス手順を実行する
ように構成されているＵＥ。
【請求項２】
前記第１の閾値は、前記構成情報の一部において搬送される、請求項１に記載のＵＥ。
【請求項３】
前記第１の閾値を搬送する前記構成情報の前記一部は、セットアップリリース（ＳｅｔｕｐＲｅｌｅａｓｅ）構造を用いて構造化される、請求項２に記載のＵＥ。
【請求項４】
前記構成情報は、システム情報ブロードキャスティングまたは専用シグナリングを介して受信される、請求項１に記載のＵＥ。
【請求項５】
前記少なくとも１つのプロセッサは、前記実行可能命令を実行して、前記システム情報ブロードキャスティングを介して、ヌル（ｎｕｌｌ）値を有する前記構成情報を受信するときに、現行のアップリンクキャリア構成を削除するようにさらに構成される、請求項４に記載のＵＥ。
【請求項６】
前記選択されたアップリンクキャリアのための周波数情報は、前記専用シグナリングによって送信される同期再構成において搬送される、請求項４に記載のＵＥ。
【請求項７】
前記第２のダウンリンク参照信号は、同期信号ブロック（ＳＳＢ）またはチャンネル状態情報参照信号（ＣＳＩ−ＲＳ）であり、前記第２のダウンリンク参照信号が前記ＳＳＢである場合、前記第２の閾値は前記ＳＳＢの信号品質に関連付けられ、前記ＣＦＲＡリソースは前記ＳＳＢに関連付けられ、前記第２のダウンリンク参照信号が前記ＣＳＩ−ＲＳである場合、前記第２の閾値は前記ＣＳＩ−ＲＳの信号品質に関連付けられ、前記ＣＦＲＡリソースは前記ＣＳＩ−ＲＳに関連付けられる、請求項１に記載のＵＥ。
【請求項８】
前記少なくとも１つのプロセッサは、前記実行可能命令を実行して、前記選択されたＣＦＲＡリソースを用いる前記ランダムアクセス手順が失敗する場合、前記選択されたアップリンクキャリア上でコンテンションベースのランダムアクセス（ＣＢＲＡ）リソースを選択するようにさらに構成されている、請求項１に記載のＵＥ。
【請求項９】
前記ＣＦＲＡリソースは、無線リソース制御（ＲＲＣ）メッセージにおいて搬送されるプライマリセル構成情報要素において構成される、請求項１に記載のＵＥ。
【請求項１０】
ユーザ機器（ＵＥ）によって、少なくとも２つのアップリンクキャリアに関連付けられた構成情報を受信すること、
前記ＵＥにより計測された第１のダウンリンク参照信号のパワーが第１の閾値を下回る場合、前記少なくとも２つのアップリンクキャリアの１つを、前記ＵＥによって、選択すること、
前記ＵＥによって計測された第２のダウンリンク参照信号のパワーが第２の閾値を上回る場合、前記選択されたアップリンクキャリア上で前記第２のダウンリンク参照信号と関連付けられたコンテンションフリーランダムアクセス（ＣＦＲＡ）リソースを、前記ＵＥによって、選択すること、および
前記選択されたＣＦＲＡリソースおよび前記選択されたアップリンクキャリアを用いてランダムアクセス手順を、前記ＵＥによって、実行すること
を含む、無線通信のための方法。
【請求項１１】
前記第１の閾値は、前記構成情報の一部において搬送される、請求項１０に記載の方法。
【請求項１２】
前記第１の閾値を搬送する前記構成情報の前記一部は、セットアップリリース（ＳｅｔｕｐＲｅｌｅａｓｅ）構造を用いて構造化される、請求項１１に記載の方法。
【請求項１３】
前記構成は、システム情報ブロードキャスティングまたは専用シグナリングを介して受信される、請求項１０に記載の方法。
【請求項１４】
前記システム情報ブロードキャスティングを介して、前記構成情報を受信するとき、現行のアップリンクキャリア構成を削除すること
をさらに含む、請求項１３に記載の方法。
【請求項１５】
前記選択されたアップリンクキャリアのための周波数情報は、前記専用シグナリングによって送信される同期再構成において搬送される、請求項１３に記載の方法。
【請求項１６】
前記第２のダウンリンク参照信号は、同期信号ブロック（ＳＳＢ）またはチャンネル状態情報参照信号（ＣＳＩ−ＲＳ）であり、第２のダウンリンク参照信号が前記ＳＳＢである場合、前記第２の閾値は前記ＳＳＢの信号品質に関連付けられ、前記ＣＦＲＡリソースは前記ＳＳＢに関連付けられ、前記第２のダウンリンク参照信号はＣＳＩ−ＲＳである場合、前記第２の閾値は前記ＣＳＩ−ＲＳの信号品質に関連付けられ、前記ＣＦＲＡリソースは前記ＣＳＩ−ＲＳに関連付けられる、
請求項１０に記載の方法。
【請求項１７】
前記選択されたＣＦＲＡリソースを用いる前記ランダムアクセス手順が失敗する場合、前記選択されたアップリンクキャリア上でコンテンションベースのランダムアクセス（ＣＢＲＡ）リソースを選択すること、
をさらに含む、請求項１０に記載の方法。
【請求項１８】
前記ＣＦＲＡリソースは、無線リソース制御（ＲＲＣ）メッセージにおいて搬送されるプライマリセル構成情報要素において構成される、請求項１０に記載の方法。
【請求項１９】
無線通信のための基地局であって、
１つ以上の非一時的なコンピュータ読み取り可能媒体であって、実行可能命令を有するコンピュータ読み取り可能媒体、および
前記１つ以上の非一時的なコンピュータ読み取り可能媒体に結合され、前記実行可能命令を実行するように構成された少なくとも１つのプロセッサを備え、
前記少なくとも１つのプロセッサは、前記実行可能命令を実行して、
少なくとも２つのアップリンクキャリアに関連付けられた構成情報をユーザ機器（ＵＥ）に送り、および
前記少なくとも２つのアップリンクキャリアの１つでコンテンションフリーランダムアクセス（ＣＦＲＡ）リソースを受信するように構成されており、
前記ＵＥによって測定されたダウンリンク参照信号のパワーが閾値を下回るとき、前記ＣＦＲＡリソースが送信される前記１つのアップリンクキャリアは、前記ＵＥにより選択される、基地局。
【請求項２０】
前記構成情報は、システム情報ブロードキャスティングまたは専用シグナリングによって送信される、請求項１９に記載の基地局。
【発明の詳細な説明】
【技術分野】
【０００１】
〔関連出願の相互参照〕
本出願は、２０１８年１月１１日に出願された「ＵＰＬＩＮＫ  ＣＡＲＲＩＥＲ  ＣＯＮＦＩＧＵＲＡＴＩＯＮ  ＡＮＤ  ＳＥＬＥＣＴＩＯＮ  ＷＩＴＨ  ＳＵＰＰＬＥＭＥＮＴＡＲＹ  ＵＰＬＩＮＫ」という名称の米国仮出願第６２／６１６，３９７号（以下、「ＵＳ７３０８０出願」という）の利益および優先権を主張する。ＵＳ７３０８０出願の開示は、参照することにより本開示に完全に組み込まれる。
【０００２】
〔技術分野〕
本開示は、概して、ユーザ機器によって実行される補助アップリンクを用いたアップリンク構成および選択のための方法と、それを実行するユーザ機器とに関する。
【背景技術】
【０００３】
ニューラジオ（ＮＲ）において、例えば拡張されたモバイルブロードバンド（ｅＭＢＢ）シナリオでは、送信データレートを改善するために高周波数帯域が採用されると考えられる。しかしながら、高周波数帯域の無線範囲は、距離とともに減少する。特に、アップリンク上で、送信パワーはユーザ機器（ＵＥ）に対して制限される。より低い周波数帯上の補助アップリンク（ＳＵＬ）キャリアは、高周波数帯アップリンク範囲を補償し、セル端の近傍の信号品質を改善する。
【発明の概要】
【０００４】
本開示は、ユーザ機器および関連する基地局のための補助アップリンクを用いたアップリンク構成および選択を対象とする。
【課題を解決するための手段】
【０００５】
本開示の一態様において、無線通信のためのユーザ機器（ＵＥ）が提供される。ＵＥは、１つ以上の非一時的なコンピュータ読み取り可能媒体であって実行可能命令を有するコンピュータ読み取り可能媒体と、前記１つ以上の非一時的なコンピュータ読み取り可能媒体に結合された少なくとも１つのプロセッサとを含む。少なくとも１つのプロセッサは前記実行可能命令を実行して、少なくとも２つのアップリンクキャリアに関連付けられた構成情報を受信し、ＵＥによって測定された第１のダウンリンク参照信号のパワーが第１の閾値未満である場合、前記少なくとも２つのアップリンクキャリアのうちの１つを選択し、ＵＥによって測定された第２のダウンリンク参照信号のパワーが第２の閾値を超える場合、選択されたアップリンクキャリア上で第２のダウンリンク参照信号に関連付けられたコンテンションフリーランダムアクセス（ＣＦＲＡ）リソースを選択し、選択されたＣＦＲＡリソースおよび選択されたアップリンクキャリアを使用してランダムアクセス手順を実行するように構成されている。
【０００６】
本開示の一態様において、ユーザ機器（ＵＥ）によって実行される無線通信のための方法が提供される。ＵＥによって実行される方法は、少なくとも２つのアップリンクキャリアに関連付けられた構成情報を受信することと、ＵＥによって測定された第１のダウンリンク参照信号のパワーが第１の閾値未満である場合、少なくとも２つのアップリンクキャリアのうちの１つを選択することと、ＵＥによって測定された第２のダウンリンク参照信号のパワーが第２の閾値を超える場合、選択されたアップリンクキャリア上で第２のダウンリンク参照信号に関連付けられたコンテンションフリーランダムアクセス（ＣＦＲＡ）リソースを選択することと、選択されたＣＦＲＡリソースおよび選択されたアップリンクキャリアを使用して、ランダムアクセス手順を実行することと、を含む。
【０００７】
本開示の一態様では、無線通信のための基地局が提供される。基地局は、１つ以上の非一時的なコンピュータ読み取り可能媒体であって、実行可能命令を有するコンピュータ読み取り可能媒体と、１つ以上の非一時的なコンピュータ読み取り可能媒体に結合された少なくとも１つのプロセッサとを含む。前記プロセッサは、実行可能命令を実行して、少なくとも２つのアップリンクキャリアに関連付けられた構成情報をユーザ機器（ＵＥ）に送信し、前記少なくとも２つのアップリンクキャリアのうちの１つの上で、コンテンションフリーランダムアクセス（ＣＦＲＡ）リソースを受信するように構成される。前記ＵＥによって測定されたダウンリンク参照信号のパワーが閾値を下回るとき、前記ＣＦＲＡリソースが送信される前記１つのアップリンクキャリアは、前記ＵＥにより選択される。
【図面の簡単な説明】
【０００８】
例示的な開示の態様は、添付の図面と共に読まれるときに、以下の詳細な説明から最も良く理解される。様々な特徴は、一定の縮尺で描かれておらず、様々な特徴の寸法は、議論を明確にするために任意に増減されてよい。
【図１】図１は、ノーマルアップリンクキャリアおよび補助アップリンクキャリアを用いて構成された無線通信システムを示す概略図である。
【図２】図２は、本開示の一実施形態による無線通信システムを示す概略図である。
【図３Ａ】図３Ａは、本開示の一実施形態による物理アップリンク制御チャンネル（ＰＵＣＣＨ）のためのアップリンク構成を示す概略図である。
【図３Ｂ】図３Ｂは、本開示の一実施形態による物理アップリンク制御チャンネル（ＰＵＣＣＨ）のためのアップリンク構成を示す概略図である。
【図４】図４は、本開示の一実施形態による概略情報の要素の構造である。
【図５】図５は、本開示のもう一つの実施形態による概略情報の要素の構造である。
【図６】図６は、本開示の一実施形態によるＵＥがランダムアクセスプリアンブル送信を実行するための決定フローチャートである。
【図７】図７は、本開示の別の実施形態によるＵＥがランダムアクセスプリアンブル送信を実行するための決定フローチャートである。
【図８】図８は、本開示の様々な実施形態に従った無線通信のためのデバイスのブロック図である。
【発明を実施するための形態】
【０００９】
以下の説明は、本開示における例示的な実施形態に関連する特定の情報を含む。本開示における図面及びそれらの添付の詳細な説明は、単に例示的な実施形態を対象としている。しかし、本開示は、これらの例示的な実施形態のみに限定されるものではない。本開示の他の変形例および実施形態は、当業者には想起されるであろう。特に断らない限り、複数の図中の類似するまたは対応する要素は、類似するまたは対応する参照番号によって示され得る。さらに、本開示における図面および説明図は、ほとんどの場合、一定の縮尺ではなく、実際の相対的な寸法に対応することを意図していない。
【００１０】
本明細書では「一実施形態において」、「一実施形態（one implementation）において」、「いくつかの実施形態（some implementation）において」、または「いくつかの実施形態において」という語句を使用し、これらはそれぞれ、同じ実施形態または異なる実施形態のうちの１つ以上を指すことがある。用語「結合された」（coupled）は、直接的に、または介在する構成要素によって間接的に接続（connected）されたものとして定義され、必ずしも物理的な接続に限定されない。用語「備える」（comprising）は利用されるときには、「含む（including）」を意味するが、必ずしも限定されない」。この用語は、そのように説明された組み合わせ、群、系列、および同等物における明確な制限のない包括を示す。
【００１１】
用語「および／または」は、関連する列挙された項目のうちの１つまたは複数の任意の組合せおよびすべての組合せを含むことに留意されたい。第１、第２、第３などの用語は、様々な要素、構成要素、領域、部分および／またはセクションを説明するために本明細書で使用され得るが、これらの要素、構成要素、領域、部分および／またはセクションはこれらの用語によって限定されるべきではないことも理解されるのであろう。これらの用語は、１つの要素、構成要素、領域、部分またはセクションを別の要素、構成要素、領域、層またはセクションから区別するためにのみ使用される。したがって、以下で説明する第１の要素、構成要素、領域、部分、またはセクションは、本開示の教示から逸脱することなく、第２の要素、構成要素、領域、層、またはセクションと呼ぶことができる。
【００１２】
なお、本明細書において、ＵＥは移動局、携帯端末または装置、ユーザ通信無線端末を含むが、これらに限定されない。例えば、ＵＥは、携帯無線機器であってもよく、携帯電話、タブレット、ウェアラブルデバイス、センサ、携帯情報端末（ＰＤＡ）、または無線通信能力を有するテレビディスプレイを含むが、これらに限定されない。ＵＥは、無線アクセスネットワークにおける１つ以上のセルへ、エアーインターフェースによって、信号を送受信するよう構成されている。
【００１３】
基地局は、ユニバーサルモバイルテレコミュニケーションシステム（ＵＭＴＳ）におけるノードＢ（ＮＢ）、ロングタームエボリューションアドバンスト（ＬＴＥ−Ａ）における進化型ノードＢ（ｅＮＢ）、ＵＭＴＳにおける無線ネットワークコントローラ（ＲＮＣ）、グローバルシステムフォーモバイルコミュニケーション／ＧＳＭ（登録商標）  ＥＤＧＥ無線アクセスネットワーク（ＧＳＭ（登録商標）／ＧＥＲＡＮ）における基地局コントローラ（ＢＳＣ）、ＵＥに向けて進化型ユニバーサル地上無線アクセス（Ｅ−ＵＴＲＡ）ユーザプレーンおよび制御プレーンプロトコル終端を提供し、ＮＧインターフェースを介して５Ｇコアネットワーク（５ＧＣ）に接続されるノードとしての次世代ｅＮＢ（ｎｇ−ｅＮＢ）、５Ｇアクセスネットワーク（５Ｇ−ＡＮ）におけるような次世代ノードＢ（ｇＮＢ）、および携帯電話の測位技術を用いた無線通信を制御し、セル内の無線リソースを管理することができる任意の他の装置を含むことができるが、これらに限定されない。基地局は、ネットワークへの無線インターフェースを介して１つ以上のＵＥにサービスを提供するように接続し得る。以下では、基地局、セル、ｇＮＢ、およびｇＮＢ／セルを互換的に使用することができる。
【００１４】
ＲＲＣ＿ＣＯＮＮＥＣＴＥＤモードにおけるＵＥは、例えば、ブロードキャスト信号、専用制御信号、および／またはデータストリーム信号を介して基地局から送信されたダウンリンク（ＤＬ）信号品質を測定してもよい。いくつかの実施形態において、ＵＥは、ＤＬ信号を周期的に測定してもよい。基地局は、ランダムアクセスリソース／パラメータ（例えば、物理的ランダムアクセスチャンネル構成）、補助アップリンク（ＳＵＬ）キャリア構成および／または非補助アップリンク（非ＳＵＬ）キャリア構成を、ブロードキャストメッセージまたは無線リソース制御（ＲＲＣ）メッセージ（例えば、ＲＲＣ再構成メッセージ）によってＵＥに送ることができる。いくつかの実施形態において、ブロードキャストメッセージにおいて搬送される構成は、基地局から送られたＲＲＣメッセージ（例えば、ＲＲＣ再構成メッセージ）によって更新されてもよい。システム情報（例えば、システム情報ブロック１（ＳＩＢ１）、他のシステム情報（ＳＩ））は、ブロードキャストメッセージであってもよいことに留意されたい。ＵＥは、専用シグナリングを介してＲＲＣメッセージを受信することができることに留意されたい。
【００１５】
本開示の一実施形態において、ＮＲ  ｇＮＢ／セルは、構成情報により、ＳＵＬキャリアと、特殊なセル（ＳｐＣｅｌｌ）またはプライマリセル（ＰＣｅｌｌ）内のノーマルアップリンク（非ＳＵＬまたはＮＵＬ）キャリアとを用いてＲＲＣ＿ＣＯＮＮＥＣＴＥＤ  ＵＥを構成する。ＳｐＣｅｌｌは、マスターセルグループ（ＭＣＧ）のプライマリセルであっても、セカンダリセルグループ（ＳＣＧ）のプライマリセルであってもよい。マルチコネクティビティが考慮されない場合、ＳｐＣｅｌｌはセルを参照することができる。ＳｐＣｅｌｌがＭＣＧに属している場合、構成情報はセルグループ構成情報要素（例えば、ＣｅｌｌＧｒｏｕｐＣｏｎｆｉｇ  ＩＥ、ＣｅｌｌＧｒｏｕｐＣｏｎｆｉｇＣｏｍｍｏｎ  ＩＥ）の形式（またはリスト）において、ＭＣＧ構成情報要素（例えば、ＭａｓｔｅｒＣｅｌｌＧｒｏｕｐ  ＩＥ、ＭａｓｔｅｒＣｅｌｌＧｒｏｕｐＣｏｎｆｉｇ  ＩＥ）を含む。ＳｐＣｅｌｌがＳＣＧに属する場合、構成情報はセルグループ構成情報要素（例えば、ＣｅｌｌＧｒｏｕｐＣｏｎｆｉｇ  ＩＥ、ＣｅｌｌＧｒｏｕｐＣｏｎｆｉｇＣｏｍｍｏｎ  ＩＥ）の形式において、ＳＣＧ構成情報要素（例えば、ＳｅｏｎｄａｒｙＣｅｌｌＧｒｏｕｐ  ＩＥ、ＳｅｃｏｎｄａｒｙＣｅｌｌＧｒｏｕｐＴｏＡｄｄＭｏｄＬｉｓｔ  ＩＥ）を含む。セルグループ構成情報要素（例えば、ＣｅｌｌＧｒｏｕｐＣｏｎｆｉｇ  ＩＥ、ＣｅｌｌＧｒｏｕｐＣｏｎｆｉｇＣｏｍｍｏｎ  ＩＥ）はＳｐＣｅｌｌ構成（例えば、ＳｐＣｅｌｌＣｏｎｆｉｇ  ＩＥ）および／またはセカンダリセル（ＳＣｅｌｌ）構成（例えば、ＳＣｅｌｌＣｏｎｆｉｇ  ＩＥ）をさらに含むことができる。いくつかの実施形態において、ＮＲ  ｇＮＢ／ｃｅｌｌは、ＲＲＣメッセージ（例えば、ＲＲＣ再構成メッセージ）を介して、ＭＣＧ構成および／またはＳＣＧ構成をＵＥに送ることができる。
【００１６】
図１において、ＮＲワイヤレス通信システム１００はＮＲ基地局（例えば、ＮＲ  ｇＮＢ／セル）と、ＮＲ基地局と通信可能に接続された状態におけるユーザ機器（ＵＥ）とを含む。ＵＥは、ＲＲＣ＿ＣＯＮＮＥＣＴＥＤモードで動作してもよいし、しなくてもよい。例えば、ＵＥはＲＲＣ＿ＩＤＬＥ、ＲＲＣ＿ＩＮＡＣＴＩＶＥ、またはＲＲＣ＿ＣＯＮＮＥＣＴＥＤモードで動作する。ＵＥのために設定可能な少なくとも２つのアップリンクキャリアがあり、２つのアップリンクキャリアのうちの１つは高周波数帯域および小さい無線範囲を有するノーマルアップリンク（または非補助アップリンク、非ＳＵＬ、またはＮＵＬ）接続のためのものであり、他のものは、低周波数帯域および広範な無線範囲を有する補助アップリンク接続のためのものである。
【００１７】
ＮＲ  ｇＮＢ／セルによる構成情報に基づいてＳＵＬキャリアおよびＮＵＬキャリアの両方によって構成される場合、ＵＥは、ダウンリンク（ＤＬ）において自身によって測定された参照信号受信パワー（ＲＳＲＰ）に基づいて、アップリンクキャリアを選択して、ランダムアクセスプリアンブル送信といったランダムアクセス手順を実行することができる。ＵＥは、選択されたアップリンクキャリア上で別のＤＬ参照信号の受信パワーに従って選択されたランダムアクセスリソース／パラメータを用いてランダムアクセスプリアンブル送信を実行することができる。ランダムアクセスリソース、ランダムアクセスパラメータ、およびランダムアクセスリソース／パラメータは、以下では互換的に使用する場合がある。
【００１８】
図２において、本開示の一実施形態によるＮＲ無線通信システムの概略図が提供される。ＮＲ無線通信システム２００は、ＵＥ２０１およびＮＲ  ｇＮＢ／セル２０３を含む。ＮＲ  ｇＮＢ／セル２０３は、構成情報２６０をＵＥ２０１に送信する。構成情報２６０は、ＲＲＣメッセージまたはシステム情報ブロードキャスティングを介して送ることができる。構成情報２６０は、ＭＣＧ構成および／またはＳＣＧ構成のためのセルグループ構成（例えば、ＣｅｌｌＧｒｏｕｐＣｏｎｆｉｇ  ＩＥ、ＣｅｌｌＧｒｏｕｐＣｏｎｆｉｇＣｏｍｍｏｎ  ＩＥ）を含むことができる（ただし、これに限定されない）。ＳＵＬおよびＮＵＬキャリア構成のうちの少なくとも１つは、構成情報２６０において搬送される。ＳＵＬおよびＮＵＬキャリア構成は、関連付けられるランダムアクセスリソース／パラメータがさらに含まれてもよい。ＵＥ２０１は、ＮＲ  ｇＮＢ／セル２０３から受信した参照信号の受信パワーを測定してもよい。ＵＥは、参照信号（ＲＳ）構成に従って、参照信号を受信してもよい。例えば、ＵＥは、ＲＳ構成に従って周期的にＲＳを受信してもよい。ＵＥは、ブロードキャストシステム情報および／またはＲＲＣメッセージを介してＲＳ構成を受信することができる。アクション２６２において、ＵＥ２０１は、ＲＳＲＰの測定結果に基づいて、構成されたＮＵＬキャリアおよび／または構成されたＳＵＬキャリアの中からアップリンクキャリアを選択してもよい。アクション２６４において、ＵＥ２０１は、選択されたアップリンクキャリアに関連してランダムアクセスリソース／パラメータをさらに選択してもよい。アクション２６６において、ＵＥ２０１は、選択されたアップリンクキャリアを用いて、選択されたランダムアクセスリソース／パラメータを使用して、ＮＲ  ｇＮＢ／セル２０３へのランダムアクセスプリアンブル送信を実行してもよい。いくつかの実施形態において、ＵＥがＲＲＣ＿ＣＯＮＮＥＣＴＥＤモードまたはＲＲＣ＿ＩＮＡＣＴＩＶＥモードの場合、ＮＲ  ｇＮＢ／セルはＲＲＣメッセージ（例えば保留構成を用いたＲＲＣ  Ｒｅｃｏｎｆｉｇｕｒａｔｉｏｎ  ｍｅｓｓａｇｅ、ＲＲＣ  Ｒｅｃｏｎｆｉｇｕｒａｔｉｏｎ）を送信してセル（例えばＳｐＣｅｌｌ、ＳＣｅｌｌ）を再設定することができる。
【００１９】
本開示の一実施形態によれば、プライマリセルまたはセカンダリセルのいずれかとすることができる１つのサービングセルは、ＮＵＬキャリアまたはＳＵＬキャリア上で動作することができる。いくつかの実施形態において、サービングセルはＭＣＧまたはＳＣＧ内にあってもよい。図３Ａにおいて、物理アップリンク制御チャンネル（ＰＵＣＣＨ）がＮＵＬキャリア上に構成されることが示されている。図３Ｂにおいて、ＰＵＣＣＨがＳＵＬキャリア上に構成されることが示されている。ＵＥは特殊なセル構成（例えば、ＳｐＣｅｌｌＣｏｎｆｉｇ  ＩＥ）を介して、ＮＵＬ（またはＳＵＬ）キャリア上のサービングセルといったものを用いて構成されてもよい。サービングセルは、ＰＴＡＧ（Ｐｒｉｍａｒｙ  Ｔｉｍｉｎｇ  Ａｄｖａｎｃｅｄ  Ｇｒｏｕｐ）において考慮されてもよい。メディアアクセス制御（ＭＡＣ）エンティティのＳｐＣｅｌｌを含むタイミングアドバンスグループは、ＰＴＡＧと呼ばれる。すなわち、ＰＴＡＧにおいて構成されたＵＬを有するセルは、同じタイミング参照セルおよび同じタイミングアドバンス値を使用する。サービングセルは、プライマリセルまたはセカンダリセルであってもよい。いくつかの実施形態において、サービングセルがＭＣＧ内またはＳＣＧ内のＳＣｅｌｌである場合、ＵＥはＳＣｅｌｌ構成（例えば、ＳＣｅｌｌＣｏｎｆｉｇ  ＩＥ）を用いて構成されてもよい。ＳＣｅｌｌ構成はセカンダリセルのためのサービングセル構成（例えば、ＳｅｒｖｉｎｇＣｅｌｌＣｏｎｆｉｇ  ＩＥ、ＳｅｒｖｉｎｇＣｅｌｌＣｏｎｆｉｇＣｏｍｍｏｎ  ＩＥ、ＳｅｒｖｉｎｇＣｅｌｌＣｏｎｆｉｇＤｅｄｉｃａｔｅｄ  ＩＥ）を含むことができる。ＳＣｅｌｌ構成はセルグループ構成（例えば、ＣｅｌｌＧｒｏｕｐＣｏｎｆｉｇ  ＩＥ、ＣｅｌｌＧｒｏｕｐＣｏｎｆｉｇＣｏｍｍｏｎ  ＩＥ）に含まれてもよい。
【００２０】
ＰＴＡＧに関連付けられたタイムアラインメントタイマー（例えば、ｔｉｍｅＡｌｉｇｎｍｅｎｔＴｉｍｅｒ）が満了するとき、ＵＥのＭＡＣエンティティはすべてのサービングセルのためのすべてのハイブリッド自動再送要求（ＨＡＲＱ）バッファを消去し、すべてのサービングセルのためのＰＵＣＣＨおよびサウンディング参照信号（ＳＲＳ）を解放するようにＲＲＣに通知し、構成されたダウンリンク割当ておよび構成されたアップリンク許可をクリアし、すべての実行中タイムアラインメントタイマーを満了したとみなす。そういった状況において、ＮＲ  ｇＮＢ／セルは、すべてのサービングセルにおいてＳＲＳを介してアップリンク信号品質を測定することができない。
【００２１】
ＳｐＣｅｌｌを構成するために、特殊なセル構成が使用される。特殊なセル構成は、同期再構成（例えば、ＲｅｃｏｎｆｉｇｕｒａｔｉｏｎＷｉｔｈＳｙｎｃ  ＩＥ）を含んでもよい。同期再構成は、サービングセル構成（例えば、ＳｅｒｖｉｎｇＣｅｌｌＣｏｎｆｉｇ  ＩＥ、ＳｅｒｖｉｎｇＣｅｌｌＣｏｎｆｉｇＣｏｍｍｏｎ  ＩＥ、ＳｅｒｖｉｎｇＣｅｌｌＣｏｎｆｉｇＤｅｄｉｃａｔｅｄ  ＩＥ）をさらに含んでもよい。サービングセル構成は、アップリンク周波数構成を特定するＩＥをさらに含んでもよい。例えば、サービングセル構成は、ＮＵＬキャリア周波数情報（例えば、ＦｒｅｑｕｅｎｃｙＩｎｆｏＵＬ  ＩＥ）を含んでもよい。例えば、サービングセル構成は、ＳＵＬキャリア周波数情報（例えば、ＳｕｐｐｌｅｍｅｎｔａｒｙＵｐｌｉｎｋ  ＩＥ）を含んでもよい。いくつかの実施形態において、サービングセル構成はＰＵＣＣＨ構成、物理アップリンク共有チャンネル（ＰＵＳＣＨ）構成、ＳＲＳ構成、および／またはタイミングアラインメントグループ構成（例えば、タグアイデンティティ（ＩＤ））を含んでもよい。
【００２２】
ランダムアクセスパラメータは、関連付けられたアップリンクキャリアに対応するＩＥに含まれてもよい。一実施形態において、共通ランダムアクセスチャンネル（ＲＡＣＨ）構成（例えばＲＡＣＨ−ＣｏｎｆｉｇＣｏｍｍｏｎ  ＩＥ、ＲＡＣＨ−ＣｏｎｆｉｇＧｅｎｅｒｉｃ  ＩＥ）は、ＳＵＬキャリアのためのコンテンションベースのランダムアクセスパラメータを含んでもよく、共通ＲＡＣＨ構成は、補助アップリンク構成（例えば、ＳｕｐｐｌｅｍｅｎｔａｒｙＵｐｌｉｎｋＣｏｎｆｉｇ  ＩＥ、ＳｕｐｐｌｅｍｅｎｔａｒｙＵｐｌｉｎｋ  ＩＥ、ＵｐｌｉｎｋＣｏｎｆｉｇＣｏｍｍｏｎＳＩＢ  ＩＥ、ＵｐｌｉｎｋＣｏｎｆｉｇ  ＩＥ）の一部において、搬送される。別の実施形態において、共通ＲＡＣＨ構成は、ＮＵＬキャリアのためのコンテンションベースのランダムアクセスパラメータを含んでもよく、共通ＲＡＣＨ構成は非補助アップリンク構成（例えば、非ＳｕｐｐｌｅｍｅｎｔａｒｙＵｐｌｉｎｋＣｏｎｆｉｇ  ＩＥ、ＵｐｌｉｎｋＣｏｎｆｉｇ  ＩＥ、ＦｒｅｑｕｅｎｃｙＩｎｆｏＵＬ  ＩＥ、ＵｐｌｉｎｋＣｏｎｆｉｇ  ＩＥ）の一部において搬送される。さらに別の実施形態において、共通ＲＡＣＨ構成は、コンテンションベースのランダムアクセスパラメータをアップリンクキャリアに対応させるためのインジケータを有してもよい。いくつかの実施形態において、共通ＲＡＣＨ構成は、サービングセル構成の一部において搬送される。
【００２３】
共通ＲＡＣＨ構成において提供されるインジケータは、コンテンションベースのランダムアクセスパラメータがどのタイプのアップリンクキャリアに関連付けられているかを示すために使用される。いくつかの実装形態において、ブーリアン値は、コンテンションベースのランダムアクセスパラメータがＳＵＬキャリア用かどうかを判断するために、共通ＲＡＣＨ構成のインジケータに割り当てることができる。例えば、インジケータが「１」である場合、インジケータは１つのアップリンクキャリア（例えば、ＮＵＬ）にコンテンションベースのランダムアクセスパラメータを対応させてもよい。インジケータが「０」である場合、インジケータはコンテンションベースのランダムアクセスパラメータを別のアップリンクキャリア（例えば、ＳＵＬ）に対応させてもよい。いくつかの実施形態において、コンテンションベースのランダムアクセスパラメータがＳＵＬ、ＮＵＬ、または両方のアップリンクキャリアに関連付けられるかどうかを示すために、選択タイプインジケータを共通ＲＡＣＨ構成で使用してもよい。例えば、選択｛ＮＵＬ、ＳＵＬ、両方、…｝は選択タイプにおいて、コンテンションベースのランダムアクセスパラメータが対応するいくつかのアップリンクキャリアを定義してもよい。インジケータが選択タイプから「ＮＵＬ」である場合、インジケータはＮＵＬキャリアにコンテンションベースのランダムアクセスパラメータを対応させてもよい。インジケータが「ＳＵＬ」である場合、インジケータはＳＵＬキャリアにコンテンションベースのランダムアクセスパラメータを対応させてもよい。インジケータが「両方」である場合、インジケータがコンテンションベースのランダムアクセスパラメータをＳＵＬキャリアおよびＮＵＬキャリアの両方に対応させてもよい。選択インジケータは、１つのセルが３つ以上のアップリンクキャリアをサポートする場合、前方互換性の拡張を可能にする。
【００２４】
構成情報の一部において搬送される特殊なセル構成は、コンテンションランダムアクセスパラメータを搬送する専用ランダムアクセス構成（例えば、ＲＡＣＨ−ＣｏｎｆｉｇＤｅｄｉｃａｔｅｄ  ＩＥ）を含む同期再構成（例えば、ＲｅｃｏｎｆｉｇｕｒａｔｉｏｎＷｉｔｈＳｙｎｃ  ＩＥ）を含んでもよい。インジケータは、そのようなコンテンションフリーランダムアクセスパラメータをＳＵＬキャリアまたはＮＵＬキャリアのいずれかに明示的に関連付けるために、専用ランダムアクセス構成と共に提供されてもよい。例えば、ブーリアンインジケータを使用して専用ランダムアクセス構成でブーリアン値を割り当て、コンテンションフリーランダムアクセスパラメータがＳＵＬキャリア用かどうかを判断できる。別の例として、選択インジケータを専用ランダムアクセス構成に使用して、ＳＵＬ、ＮＵＬ、または両方のアップリンクキャリアに関連付けられたコンテンションフリーランダムアクセスパラメータを示してもよい。選択インジケータは、１つのセルが３つ以上のアップリンクキャリアをサポートする場合、前方互換性の拡張を可能にする。
【００２５】
ＮＲ  ｇＮＢ／セルはアップリンクベース上で、共通ＲＡＣＨ構成（例えば、ＲＡＣＨ−ＣｏｎｆｉｇＣｏｍｍｏｎ  ＩＥ、ＲＡＣＨ−ＣｏｎｆｉｇＧｅｎｅｒｉｃ  ＩＥ）におけるランダムアクセスプリアンブルプールを示すことができる。ＮＲ  ｇＮＢ／セルは、セルごとにＳＵＬキャリアおよびＮＵＬキャリアの両方のために単一の共通ＲＡＣＨ構成を利用してもよい。例えば、単一の共通ＲＡＣＨ構成がＳｐＣｅｌｌのために構成される場合、単一の共通ＲＡＣＨ構成を受信すると、ＵＥは、対応するセル上でＳＵＬおよびＮＵＬの両方のための構成を適用することができる。単一の共通ＲＡＣＨ構成は、様々なランダムアクセスパラメータのためのサブ構成のリストをさらに含んでもよい。このサブ構成のリストは、プリアンブルプール構成に限定されるものではないが、ターゲットが受信したプリアンブルパワー（例えばＰｒｅａｍｂｌｅＲｅｃｅｉｖｅｄＴａｒｇｅｔＰｏｗｅｒ）、ランダムアクセス応答ウィンドウ（例えばＲＡ−ＲｅｓｐｏｎｓｅＷｉｎｄｏｗ）、およびプリアンブル送信の最大数（例：ＰｒｅａｍｂｌｅＴｒａｎｓＭａｘ）といった他のパラメータ（またはランダムアクセスリソース）を含んでもよい。
【００２６】
セットアップリリース（ＳｅｔｕｐＲｅｌｅａｓｅ）構造をサービングセル構成（例えば、ＳｅｒｖｉｎｇＣｅｌｌＣｏｎｆｉｇ  ＩＥ、ＳｅｒｖｉｎｇＣｅｌｌＣｏｎｆｉｇＣｏｍｍｏｎ  ＩＥ、ＳｅｒｖｉｎｇＣｅｌｌＣｏｎｆｉｇＤｅｄｉｃａｔｅｄ  ＩＥ）において採用して、ＵＬキャリア固有の構成（例えば、ＮＵＬキャリア構成およびＳＵＬキャリア構成）を個別に独立して設定および／または開放してもよい。いくつかの実施形態において、セットアップリリース構造が選択構造、例えば、構成を開放することおよび構成を設定することの間の選択肢を含んでもよい。例えば、ＮＲ  ｇＮＢ／セルが開放の選択と共にセットアップリリース構造を送信する場合、ＵＥは対応する設定を開放する。ＮＲ  ｇＮＢ／セルがセットアップリリース構造をセットアップの選択と共に送信する場合、ＵＥは対応する構成をセットアップする。ＮＵＬキャリアのための構成（例えば非補助Ｕｐｌｉｎｋ  ＩＥ、ＵｐｌｉｎｋＣｏｎｆｉｇ  ＩＥ、ＵｐｌｉｎｋＣｏｎｆｉｇＣｏｍｍｏｎ  ＩＥ）およびＳＵＬキャリアのための構成（例えばＳｕｐｐｌｅｍｅｎｔａｒｙＵｐｌｉｎｋ  ＩＥ、ＵｐｌｉｎｋＣｏｎｆｉｇ  ＩＥ、ＳｕｐｐｌｅｍｅｎｔａｒｙＵｐｌｉｎｋＣｏｎｆｉｇ  ＩＥ、ＵｐｌｉｎｋＣｏｎｆｉｇＣｏｍｍｏｎ  ＩＥ）は、セットアップリリース構造を用いて、独立して特定されてもよい。ＮＵＬキャリアおよび／またはＳＵＬキャリアは、セットアップリリース構造を用いて、独立して更新および／または解放されてもよい。いくつかの実施形態において、サービングセル構成が少なくとも１つのセットアップリリース構造を含んでもよい。図４において、サービングセル構成（例えば、ＳｅｒｖｉｎｇＣｅｌｌＣｏｎｆｉｇ  ＩＥ）は、ＮＵＬキャリア構成のための１つのセットアップリリース構造と、ＳＵＬキャリア構成のための別のセットアップリリース構造とを個別に含んでもよい。いくつかの実施形態において、ＳＵＬ（またはＮＵＬ）構成のためのセットアップリリース構造は、ＵＥによって受信され、測定された参照信号に関連する閾値、例えば、ＲＳＲＰ閾値を含んでもよい。ＲＳＲＰ閾値（ＲＳＲＰ閾値の値）の値はサービングセル構成におけるセットアップリリース構造（例えば、セットアップリリース構造を有するＳＵＬ構成、セットアップリリース構造を有するＮＵＬ構成）の独立したフィールドに入れてもよい。いくつかの実施形態において、ＲＳＲＰ閾値がアップリンク周波数情報構成（例えば、ＦｒｅｑｕｅｎｃｙＩｎｆｏＵＬ  ＩＥ、ＦｒｅｑｕｅｎｃｙＩｎｆｏＵＬ−ＳＩＢ  ＩＥ）のフィールドに入れられてもよい。セットアップリリース構造を有するＵＬキャリア構成は、アップリンク周波数情報構成を含んでもよい。ＲＳＲＰ閾値は、正の無限大、負の無限大、またはゼロに設定することができる。ＲＳＲＰ閾値がゼロに設定される場合、値の単位は、ｄＢｍではなく、ワット（Ｗ）であってもよい。いくつかの実施形態において、ＵＥがＮＲ  ｇＮＢ／セルによってブロードキャストされたシステム情報（例えば、ＳＩＢ１、他のＳＩ）を介して、またはＮＲ  ｇＮＢ／セルによって送信されたＲＲＣメッセージ（例えば、ＲＲＣ再構成メッセージ）を介して、ＲＳＲＰ閾値��受信することができる。
【００２７】
ＵＥがＲＳＲＰ閾値に基づいてＵＬキャリアを選択するとき、ＵＥはＲＳＲＰ閾値が正の無限大に設定される場合にＳＵＬキャリアを選択することができ、ＵＥは、ＲＳＲＰ閾値がゼロまたは負の無限大に設定される場合にＮＵＬ（非ＳＵＬ）キャリアを選択することができる。
【００２８】
セットアップリリース構造の代わりに、セットアップおよび開放との間の選択構造を使用して、アップリンクキャリア固有の構成を示すことができる。図５において、例示的な選択構造は示されている。
【００２９】
いくつかの実施形態において、セル（例えば、ＳｐＣｅｌｌ、ＳＣｅｌｌ）がＳＵＬキャリアおよびＮＵＬキャリアの両方を用いて構成される場合、ＵＥはダウンリンクキャリアの測定されたＲＳＲＰに基づいて、および／またはＳＵＬキャリアおよび／またはＮＵＬキャリアに構成されたランダムアクセスリソース／パラメータの種類（例えば、コンテンションベースおよび／またはコンテンションフリー）に基づいて、ランダムアクセスプリアンブル送信を実行するために、どちらのアップリンクキャリアを選択してもよい。
【００３０】
構成情報を受信した後、ＵＥは、アップリンクキャリア構成に基づいてアップリンクキャリアを選択することができる。図６は、本開示の一実施形態による、アップリンクキャリアおよび対応するランダムアクセスリソースを選択するためのＲＲＣ＿ＣＯＮＮＥＣＴＥＤ  ＵＥのための決定フローチャートを概略的に示す。図６の決定フローチャートは、ＲＲＣ＿ＩＮＡＣＴＩＶＥ  ＵＥまたはＲＲＣ＿ＩＤＬＥ  ＵＥに適用できることに留意されたい。図６の決定フローチャートは、タイムアラインメントタイマーが満了した後にアップリンク送信が必要とされる状況に適用され得るが、これに限定されない。アクションＳ６１において、ＵＥは、ダウンリンクＲＳＲＰが対応する構成（例えば、ＳｅｒｖｉｎｇＣｅｌｌＣｏｎｆｉｇ  ＩＥ）で与えられたＲＳＲＰ閾値を下回っているか（または等しいか）を決定することができる。ＵＥは、ダウンリンクにおいて測定されたＲＳＲＰが対応する構成において与えられたＲＳＲＰ閾値よりも低い（または等しい）場合に、（構成されている場合に）ＳＵＬキャリアを選択してもよい。ＵＥはセル内の選択されたＳＵＬキャリア（例えば、ＳｐＣｅｌｌ、ＳＣｅｌｌ）上でランダムアクセスリソース／パラメータを選択することができる。コンテンションベースおよびコンテンションフリーランダムアクセスリソース／パラメータの両方がＳＵＬキャリアに関連付けて構成される場合、ＵＥは、アクションＳ６２およびアクションＳ６３において、アップリンクトラフィックが特定のアクセス要求（例えば、緊急コール、特定のアクセスカテゴリ、またはＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）トラフィック）のためのものであるかどうかをさらに判断することができる。特定のアクセス要求に対するアップリンクトラフィックであると決定された場合、ＵＥはアクションＳ６４において、選択されたＳＵＬキャリア上のコンテンションフリーランダムアクセスリソース／パラメータに基づいて、ランダムアクセスプリアンブル送信を実行してもよい。アップリンクトラフィックが特定のアクセス要求に対してでないと決定された場合、ＵＥはアクションＳ６５において、コンテンションベースのランダムアクセスリソース／パラメータに基づいて、ＳＵＬキャリア上でランダムアクセスプリアンブル送信を実行することができる。いくつかの実施形態において、コンテンションベースおよびコンテンションフリーランダムアクセスパラメータのうちの１つが、特にＳＵＬキャリアのために、構成される場合、ＵＥはＮＲ  ＤＬ信号のＲＳＲＰがＲＳＲＰ閾値未満（またはＲＳＲＰ閾値に等しい）であれば、アップリンクトラフィックタイプをチェックすることなく、ＳＵＬキャリアのために特に構成されたランダムアクセスリソース／パラメータに基づいてランダムアクセスプリアンブル送信を実行することができる。
【００３１】
アクションＳ６３において、ＵＥは、測定されたＲＳＲＰが閾値を上回る場合、ＮＵＬキャリアを選択することができる。アクションＳ６６およびＳ６７において、ＵＥはセル内の選択されたＮＵＬキャリア（例えば、ＳｐＣｅｌｌ、ＳＣｅｌｌ）上でランダムアクセスリソース／パラメータを選択してもよい。コンテンションベースおよびコンテンションフリーランダムアクセスリソース／パラメータの両方がＮＵＬキャリアに関連付けて構成される場合、ＵＥは、アクションＳ６６およびアクションＳ６７において、アップリンクトラフィックが特定のアクセス要求（例えば、緊急コール、特定のアクセスカテゴリ、またはＵＲＬＬＣトラフィック）のためのものであるかどうかをさらに判断することができる。アップリンクトラフィックが特定のアクセス要求用であると決定された場合、ＵＥはアクションＳ６６において、選択されたＮＵＬキャリア上のコンテンションフリーランダムアクセスリソース／パラメータに基づいて、ランダムアクセスプリアンブル送信を実行してもよい。アップリンクトラフィックが特定のアクセス要求に対してではないと決定される場合、ＵＥは、アクションＳ６７において、コンテンションベースのランダムアクセスリソース／パラメータに基づいて、ＮＵＬキャリア上でランダムアクセスプリアンブル送信を実行することができる。いくつかの実施形態において、コンテンションベースおよびコンテンションフリーランダムアクセスパラメータのうちの１つが、特にＮＵＬキャリアのために構成される場合、ＵＥはＮＲ  ＤＬ信号のＲＳＲＰがＲＳＲＰ閾値を上回るならばアップリンクトラフィックタイプをチェックすることなく、ＮＵＬキャリアのために特に構成されたランダムアクセスリソース／パラメータに基づいてランダムアクセスプリアンブル送信を実行してもよい。
【００３２】
構成情報を受信した後、ＵＥは、アップリンクキャリア構成に基づいてアップリンクキャリアを選択してもよい。図７は、本開示の別の実施形態による、アップリンクキャリアおよび対応するランダムアクセスリソースを選択するためのＲＲＣ＿ＣＯＮＮＥＣＴＥＤ  ＵＥのための決定フローチャートを概略的に示す。図７の決定フローチャートは、ＲＲＣ＿ＩＮＡＣＴＩＶＥ  ＵＥまたはＲＲＣ＿ＩＤＬＥ  ＵＥに適用してもよいことに留意されたい。図７において、ＵＥは、アップリンクトラフィックタイプおよび測定されたＲＳＲＰに基づいてランダムアクセスリソース／パラメータを選択してもよい。図７の決定フローは、タイムアラインメントタイマーが終了した後にアップリンク送信が必要とされる状況に適用され得るが、これに限定されない。アクションＳ７１において、ＵＥはアップリンクトラフィックが特定のアクセス要求（例えば、緊急コール、特定のアクセスカテゴリ、またはＵＲＬＬＣトラフィック）のためのものであるかどうかを判断することができる。アップリンクトラフィックが特定のアクセス要求のためのものであると決定される場合、ＵＥは、アクションＳ７２において、測定されたＤＬ  ＲＳＲＰ値が対応する構成において与えられたＲＳＲＰ閾値を下回る（または等しい）かどうかをさらに決定することができる。アップリンクトラフィックが特定のアクセス要求のためのものでない場合、ＵＥはアクションＳ７３において、セル（例えば、ＳｐＣｅｌｌ、ＳＣｅｌｌ）中のＳＵＬキャリア上のコンテンションベースのランダムアクセスリソース／パラメータに基づいて、ランダムアクセスプリアンブル送信を実行することができる。アクションＳ７２の後、測定されたＤＬ  ＲＳＲＰがＲＳＲＰ閾値より低い（または等しい）場合、ＵＥはアクションＳ７４において、選択されたＳＵＬキャリアに関連するコンテンションフリーランダムアクセスリソース／パラメータに基づいて、ランダムアクセスプリアンブル送信を実行するためにＳＵＬキャリアを選択してもよい。アクションＳ７２の後、測定されたＤＬ  ＲＳＲＰがＲＳＲＰ閾値より高い場合、アクションＳ７５において、ＵＥはセル（例えば、ＳｐＣｅｌｌ、ＳＣｅｌｌ）内のＮＵＬキャリア上のコンテンションフリーランダムアクセスリソース／パラメータに基づいて、ランダムアクセスプリアンブル送信を実行してもよい。いくつかの実施形態において、ＵＥがセル内のＳＵＬキャリアのコンテンションフリーランダムアクセスリソース／パラメータ（例えば、ＳｐＣｅｌｌ、ＳＣｅｌｌ）において構成されていない場合で、アップリンクトラフィックが特定のアクセス要求についてのものであると決定され、測定されたＤＬ  ＲＳＲＰ値が対応する構成で与えられたＲＳＲＰ閾値未満（またはそれに等しい）である場合、ＵＥはセル内のＳＵＬキャリア上のコンテンションベースのランダムアクセスリソース／パラメータに基づいて、ランダムアクセスプリアンブル送信を実行してもよい。いくつかの実施形態において、ＵＥがセル内のＮＵＬキャリアのコンテンションフリーランダムアクセスパラメータ（例えば、ＳｐＣｅｌｌ、ＳＣｅｌｌ）で構成されていない場合、ＵＥは、（１）セル内のＮＵＬキャリア上のコンテンシ���ンベースのランダムアクセスリソース／パラメータに基づいてランダムアクセスプリアンブル送信を実行してもよく、または（２）セル内のＳＵＬキャリア上のコンテンションフリーランダムアクセスリソース／パラメータに基づいてランダムアクセスプリアンブル送信を実行してもよく、または（３）アップリンクトラフィックが特定のアクセス要求についてのものであると決定され、測定されたＤＬ  ＲＳＲＰ値がＲＳＲＰ閾値を上回るとき、セル内のＳＵＬキャリア上のコンテンションベースのランダムアクセスリソース／パラメータに基づいてランダムアクセスプリアンブル送信を実行してもよい。いくつかの実施形態において、ＵＥは優先順位に従って３つのアプローチ（１）（２）（３）の中から選択してよい（例えば、アプローチ（１）が最も優先順位が高く、アプローチ（３）が最も優先順位が低い）。優先度はシステム情報またはＲＲＣメッセージ（例えば、ＲＲＣ再構成メッセージ）を介してＮＲ  ｇＮＢ／セルによって示されることがある。優先度は、ＵＥの実装であってもよい。
【００３３】
他のいくつかの実施形態において、ＵＥが別のＲＳＲＰ閾値を用いてさらに構成され、コンテンションベースのランダムアクセス手順およびコンテンションフリーランダムアクセス手順のどれを実行すべきかを決定してもよい。ＵＥが測定したＤＬ  ＲＳＲＰが別のＲＳＲＰ閾値よりも高い場合、ＵＥは、ＵＬキャリア（例えば、ＳＵＬまたはＮＵＬキャリア）のいずれかで構成されているコンテンションフリーランダムアクセスリソースを用いてコンテンションフリーランダムアクセス手順を実行するために、コンテンションフリーランダムアクセスリソース／パラメータを選択してよい。測定されたＤＬ  ＲＳＲＰが別のＲＳＲＰ閾値よりも小さい（または等しい）場合、ＵＥはＵＬキャリア（例えば、ＳＵＬまたはＮＵＬキャリア）のいずれかにおいて構成されているコンテンションベースのランダムアクセスリソースを用いて、コンテンションベースのランダムアクセス手順を実行することができる。別のＲＳＲＰ閾値が正の無限大に設定されている場合、ＵＥは、コンテンションベースのランダムアクセス手順を実行してよい。別のＲＳＲＰ閾値がゼロに設定されている場合、ＵＥは、コンテンションフリーランダムアクセス手順を実行してよい。別のＲＳＲＰ閾値が負の無限大に設定されている場合、ＵＥは、コンテンションフリーランダムアクセス手順を実行してよい。ランダムアクセス手順のタイプを決定するための、この閾値は、アップリンクキャリアの選択の基準となるＲＳＲＰ閾値と同一であっても、そうでなくてもよいことに留意されたい。
【００３４】
ランダムアクセスリソース（コンテンテンションベースのランダムアクセス手順および／またはコンテンションフリーランダムアクセス手順において）は、ＳＳ（同期シグナル）ブロックおよび／またはＣＳＩ−ＲＳ（チャンネル状態情報参照信号）リソースのシグナル品質と関連付けて選択できることに留意されたい。ＵＥは、それ自体によって測定されたＳＳブロックまたはＣＳＩ−ＲＳのいずれかが、対応するＲＳＲＰ閾値を上回る場合、コンテンションフリーランダムアクセスリソースを選択してよい。ランダムアクセス手順が成功するかどうかは、ＳＳブロックおよび／またはＣＳＩ−ＲＳの信号品質に依存する。
【００３５】
いくつかの実施形態において、２つのＲＳＲＰ閾値の両方がＵＥに構成される場合、ＵＥは、ランダムアクセス手順が失敗した場合に、選択されたＵＬキャリア上の対応するランダムアクセス手順（例えば、コンテンションベースのランダムアクセス手順、コンテンションフリーランダムアクセス手順）を選択するために、測定されたＤＬ  ＲＳＲＰ（例えば、ＳＳブロック、ＣＳＩ−ＲＳ）をこれらの２つの閾値と比較してよい。
【００３６】
本開示のいくつかの実施形態において、ランダムアクセス手順は失敗し得る。ランダムアクセス手順が失敗する理由はいくつかある。例えば、最大プリアンブル（再）送信時間を過ぎる、物理的ランダムアクセスチャンネル（ＰＲＡＣＨ）リソースの信号品質が閾値未満である、ＰＲＡＣＨリソースに関連する物理的リソースの信号品質が悪い、ランダムアクセス手順に費やされる時間が所定のタイマを超える、である。
【００３７】
いくつかの実施形態において、ランダムアクセス手順が１つのＵＬキャリアにおいて失敗した場合、ＵＥはランダムアクセス手順を実行するために別のＵＬキャリアに切り替えてよい。いくつかの実施形態において、ＵＥは、失敗したランダムアクセス手順で計算されたタイマ／カウンタを継続してよく、例えば、現行のパラメータはリセットされない。いくつかの実施形態において、ＵＥは、失敗したランダムアクセス手順で計算されたタイマ／カウンタを中止し、そして新しいランダムアクセス手順を始めてよい。例えば、ＵＥが、非ＳＵＬキャリアおよびＳＵＬキャリアの両方と、各ＵＬキャリア上の対応するランダムアクセスリソース／パラメータとを用いて構成される場合、ＵＥは、デフォルトで、最初に、ＳＵＬキャリア上でランダムアクセス手順を実行してよい。少なくとも１つのランダムアクセス手順（例えば、コンテンションベースのランダムアクセスリソース／パラメータに続くランダムアクセス手順、コンテンションフリーランダムアクセスリソース／パラメータに続くランダムアクセス手順）がＳＵＬキャリアで失敗した場合、ＵＥはランダムアクセス手順を実行するために非ＳＵＬキャリアに切り替えてもよい。
【００３８】
いくつかの実施形態において、１つのＵＬキャリアがコンテンションベースのランダムアクセスリソース／パラメータにより構成され、他のＵＬキャリアがコンテンションフリーランダムアクセスパラメータにより構成される場合、ＵＥは最初に、コンテンションフリーランダムアクセスパラメータにより構成されるＵＬキャリアを選択してよい。ＵＥは、ランダムアクセスリソース／パラメータのタイプに基づいてＵＬキャリアを選択してもよい。
【００３９】
いくつかの実施形態において、コンテンションフリーランダムアクセス手順がＳＵＬキャリアまたは非ＳＵＬキャリアのいずれかで失敗した場合、ＵＥは、（コンテンションベースのランダムアクセスパラメータが構成される場合）同じＵＬキャリア上でコンテンションベースのランダムアクセス手順を実行することができる。
【００４０】
いくつかの実施形態において、コンテンションフリーランダムアクセス手順がＳＵＬキャリアまたは非ＳＵＬキャリアのいずれかで失敗した場合、ＵＥは、他のＵＬキャリア上でランダムアクセス手順を実行してよい。コンテンションフリーおよびコンテンションベースのランダムアクセスリソース／パラメータの両方が他のＵＬキャリア上で構成される場合、ＵＥは、高優先度として他のＵＬキャリア上でコンテンションフリーランダムアクセス手順を実行してもよい。例えば、ＵＥは、コンテンションベースのランダムアクセス手順ではなく、他のＵＬキャリア上でコンテンションフリーのランダムアクセス手順を実行してよい。例えば、ＵＥは、他のＵＬキャリア上でコンテンションベースのランダムアクセス手順よりも高い確率で、他のＵＬキャリア上でコンテンションフリーランダムアクセス手順を実行することができる。
【００４１】
１つのＵＬキャリア上のランダムアクセス応答の受信信号が閾値未満である場合、ＵＥは、他のＵＬキャリア上でランダムアクセス手順を実行するように切り替えることができる。ＮＲ  ｇＮＢ／セルはシステム情報（例えば、ＳＩＢ１、他のＳＩ）を介して、またはＲＲＣメッセージ（例えば、ＲＲＣ再構成メッセージ）を介して、ＵＥに閾値を設定してよい。
【００４２】
本開示で言及される実施形態は、ＲＲＣ＿ＣＯＮＮＥＣＴＥＤ  ＵＥに限定されないことに留意されたい。これらの実施形態は、ＲＲＣ＿ＩＮＡＣＴＩＶＥ  ＵＥおよび／またはＲＲＣ＿ＩＤＬＥ  ＵＥに対して適用され得る。例えば、アクセス要求のタイプに基づくランダムアクセスリソース／パラメータおよびＵＬキャリアの間の選択は、ＲＲＣ＿ＩＤＬＥ  ＵＥおよび／またはＲＲＣ＿ＩＮＡＣＴＩＶＥ  ＵＥに対しても適用され得る。例えば、測定されたＤＬ  ＲＳＲＰに基づくランダムアクセスリソース／パラメータおよびＵＬキャリアの間の選択は、ＲＲＣ＿ＩＤＬＥ  ＵＥおよび／またはＲＲＣ＿ＩＮＡＣＴＩＶＥ  ＵＥにも適用され得る。
【００４３】
同じＤＬキャリアに関連付けられたＵＬキャリア上に他のコンテンションベースおよび／またはコンテンションフリーランダムアクセスパラメータがない場合、ＵＥはＲＲＣ＿ＩＤＬＥモード（例えば、セキュリティが起動されていない場合）またはＲＲＣ＿ＩＮＡＣＴＩＶＥモードに入るか、ＲＲＣ−再確立手順（例えば、セキュリティが起動されている場合）を実行することができる。
【００４４】
なお、本開示において上述した実施形態は、タイムアライメントタイマが終了する条件に限定されるものではないことに留意されたい。例えば、ランダムアクセスプリアンブル送信を実行するための他のトリガリングケースが適用されてもよい。
【００４５】
ＳＵＬまたはＮＵＬキャリア上のコンテンションフリーおよび／またはコンテンションベースのランダムアクセスリソース／パラメータの構成はＮＲ  ｇＮＢ／セルのブロードキャストメッセージ、例えば、ＳＩＢ１、残りのシステム情報（ＲＭＳＩ）、他の種類ＳＩ、およびオンデマンドＳＩを介して実行されてもよいことに留意されたい。
【００４６】
本開示において、ＲＳＲＰ閾値の値がゼロまたは（正または負の）無限大に設定することができることに留意されたい。ゼロである場合、ＲＳＲＰ閾値は、ワット（Ｗ）またはミリワット（ｍＷ）の単位で構成されてもよい。いくつかの実施形態において、ＲＳＲＰ閾値は、共通ＲＡＣＨ構成（例えば、ＲＡＣＨ−ＣｏｎｆｉｇＣｏｍｍｏｎ  ＩＥ）に含まれ得る。いくつかの実装形態において、ＲＳＲＰ閾値はゼロから定義された数まで（あるいは無限大まで）の範囲でよい。いくつかの実施形態において、ＲＳＲＰは負の無限大から正の無限大までの範囲をとる可能性がある。
【００４７】
いくつかの実施形態において、ＮＲ  ｇＮＢが単一のＲＲＣメッセージ（例えば、ＲＲＣ  Ｒｅｃｏｎｆｉｇｕｒａｔｉｏｎメッセージ、ＲＲＣ  Ｃｏｎｎｅｃｔｉｏｎ  Ｒｅｃｏｎｆｉｇｕｒａｔｉｏｎメッセージ）を介して同時に、または個別のＲＲＣメッセージ（例えば、ＲＲＣ  Ｒｅｃｏｎｆｉｇｕｒａｔｉｏｎメッセージ、ＲＲＣ  Ｃｏｎｎｅｃｔｉｏｎ  Ｒｅｃｏｎｆｉｇｕｒａｔｉｏｎメッセージ）を介して順次、ＳＵＬおよびＮＵＬキャリアを備えたセル（例えば、ＳｐＣｅｌｌ、ＳＣｅｌｌ）を（再）構成するために、ＵＥに構成情報を送ることができる。
【００４８】
Ａ  同時的なＳＵＬとＮＵＬの構成
ＲＲＣ＿ＣＯＮＮＥＣＴＥＤ  ＵＥがＳＵＬおよびＮＵＬキャリアの両方を用いて、ＮＲ  ｇＮＢ／セルによってＲＲＣメッセージ（例えばＲＲＣ  Ｒｅｃｏｎｆｉｇｕｒａｔｉｏｎ  ｍｅｓｓａｇｅ）を介して、同時に構成される場合、補助アップリンク構成（例えばＳｕｐｐｌｅｍｅｎｔａｒｙＵｐｌｉｎｋ  ＩＥ、ＵｐｌｉｎｋＣｏｎｆｉｇ  ＩＥ、ＳｕｐｐｌｅｍｅｎｔａｒｙＵｐｌｉｎｋＣｏｎｆｉｇ  ＩＥ、ＵｐｌｉｎｋＣｏｎｆｉｇＣｏｍｍｏｎＳＩＢ  ＩＥ）および非補助アップリンク構成（ｎｏｎ−ＳｕｐｐｌｅｍｅｎｔａｒｙＵｐｌｉｎｋＣｏｎｆｉｇ  ＩＥ、ＦｒｅｑｕｅｎｃｙＩｎｆｏＵＬ  ＩＥ、ＵｐｌｉｎｋＣｏｎｆｉｇ  ＩＥ、ＵｐｌｉｎｋＣｏｎｆｉｇＣｏｍｍｏｎ  ＩＥ）は、両方とも、セル（ＳｐＣｅｌｌ、ＳＣｅｌｌ）を構成するための有効な情報を持ってよい。いくつかの実施形態において、共通ＲＡＣＨ構成は、異なるアップリンクキャリアのランダムアクセスリソース／パラメータを含む。例えば、アップリンクキャリア（ＳＵＬまたはＮＵＬキャリア）の１つだけがコンテンションベースのランダムアクセスパラメータに関連して構成される。すべてのアップリンクキャリアは個別のコンテンションベースのランダムアクセスパラメータに関連してそれぞれ設定される。１つのアップリンクキャリア（ＳＵＬまたはＮＵＬキャリア）のみが、コンテンションフリーランダムアクセスパラメータに関連して設定される。すべてのアップリンクキャリアは、個別のコンテンションフリーランダムアクセスパラメータに関連付けてそれぞれ設定される。
【００４９】
Ｂ  順次的なＳＵＬおよびＮＵＬ構成
ＮＲ  ｇＮＢが別個のＲＲＣメッセージ（例えば、ＲＲＣ再構成メッセージ）または別個のシステム情報（ＳＩ）を介して、ＳＵＬおよびＮＵＬキャリアを用いてＵＥを順次構成する場合、各ＲＲＣメッセージ（例えば、ＲＲＣ再構成メッセージ）／ＳＩは、１つ以上のアップリンクキャリア構成と、関連付けられたコンテンションベースおよび／またはコンテンションフリーランダムアクセスリソース／パラメータとを含み得る。ＳＩは、ブロードキャストされるか、または専用シグナリングを介して送信され得ることに留意されたい。
【００５０】
一実施形態において、ＵＥがヌル（ｎｕｌｌ）のアップリンクキャリア構成ＩＥを含む構成情報（例えば、補助アップリンク構成で割り当てられたヌル値、非補助アップリンク構成で割り当てられたヌル値）を受信するとき、既存のアップリンクキャリア構成および関連付けられたランダムアクセスパラメータ（コンテンションベースおよび／またはコンテンションフリー）を更新または削除しなくてもよい。
【００５１】
一実施形態において、ＵＥがヌルのアップリンクキャリア構成ＩＥを含む構成情報（例えば、補助アップリンク構成で割り当てられたヌル値、非補助アップリンク構成で割り当てられたヌル値）を受信するとき、既存のアップリンクキャリア構成および関連付けられた（コンテンションベースおよび／またはコンテンションフリー）ランダムアクセスパラメータを更新または削除してもよい。
【００５２】
一実施形態では、ＵＥがアップリンクキャリア構成の一部（例えば、補助アップリンク構成、非補助アップリンク構成、コンテンションベースのランダムアクセスパラメータ、コンテンションフリーランダムアクセスパラメータ、共通ＲＡＣＨ構成、専用ランダムアクセス構成）において搬送された除去可能なインジケータを含む構成情報を受信するとき、現行のアップリンクキャリア構成および関連付けられた（コンテンションベースおよび／またはコンテンションフリー）ランダムアクセスパラメータを更新または削除してもよい。
【００５３】
本開示の一実施形態において、ＮＲ  ｇＮＢ／セルは、セル（例えば、ＳｐＣｅｌｌ、ＳＣｅｌｌ）においてのみ、ＳＵＬキャリアを用いて、ＲＲＣ＿ＣＯＮＮＥＣＴＥＤ  ＵＥを構成するために構成情報を送信することができる。
【００５４】
いくつかの実施形態において、補助アップリンク構成（例えばＳｕｐｐｌｅｍｅｎｔａｒｙＵｐｌｉｎｋ  ＩＥ，ＵｐｌｉｎｋＣｏｎｆｉｇ  ＩＥ、ＳｕｐｐｌｅｍｅｎｔａｒｙＵｐｌｉｎｋＣｏｎｆｉｇ  ＩＥ、ＵｐｌｉｎｋＣｏｎｆｉｇＣｏｍｍｏｎＳＩＢ  ＩＥ）は、ＳＵＬキャリアを用いたコンテンションベースのランダムアクセスパラメータを含んでよい。例えば、補助アップリンク構成は、ＳＵＬキャリアでランダムアクセスパラメータに特異的に対応する共通ＲＡＣＨ構成（例えば、ＲＡＣＨ−ＣｏｎｆｉｇＣｏｍｍｏｎ  ＩＥ）を含んでよい。セル（例えば、ＳｐＣｅｌｌ、ＳＣｅｌｌ）はノーマルアップリンク（非ＳＵＬまたはＮＵＬ）キャリアで構成され得ないので、サービングセル構成（例えば、ＳｅｒｖｉｎｇＣｅｌｌＣｏｎｆｉｇ  ＩＥ、ＳｅｒｖｉｎｇＣｅｌｌＣｏｎｆｉｇＣｏｍｍｏｎ  ＩＥ、ＳｅｒｖｉｎｇＣｅｌｌＣｏｎｆｉｇＤｅｄｉｃａｔｅｄ  ＩＥ）はＮＵＬ構成（例えば、ＮＵＬキャリアのための周波数情報）を含まなくてもよい。
【００５５】
いくつかの実施形態において、ブーリアンインジケータ（例えば、ＲａｃｈＣｏｍｍｏｎＵｓａｇｅ）を使用して、ブーリアン値がＳＵＬキャリアとランダムアクセスパラメータ（例えば、コンテンションベースのランダムアクセスパラメータ、コンテンションフリーランダムアクセスパラメータ、共通ＲＡＣＨ構成、専用ランダムアクセス設定）との間の関連をＵＥに通知するために、補助的なアップリンク設定で割り当てられてもよい。いくつかの実施形態において、ＮＲ  ｇＮＢ／セルは、サービングセル構成を介してＵＥへのＮＵＬキャリアを構成することができる。サービングセル構成は、ランダムアクセスパラメータを備えることができる。いくつかの実施形態において、ランダムアクセスパラメータをＳＵＬキャリアに関連付けるために、補助アップリンク構成で、１つのブーリアンインジケータが、要求されてもよい。例えば、ブーリアンインジケータが「１」である場合、ランダムアクセスパラメータは、ＳＵＬキャリアに関連付けられてもよく、ブーリアンインジケータが「０」である場合、ランダムアクセスパラメータはＳＵＬキャリアに関連付けられなくてもよい。ブーリアンインジケータが「０」である場合、ランダムアクセスパラメータは、別のアップリンクキャリア（例えば、ＮＵＬキャリア）に関連付けられてもよい。いくつかの実装形態において、ＮＵＬキャリアとランダムアクセスパラメータ（例えば、コンテンションベースのランダムアクセスパラメータ、コンテンションフリーランダムアクセスパラメータ、共通ＲＡＣＨ構成、専用ランダムアクセス構成）との間の関連付けをＵＥに通知するために、ブーリアンインジケータ（例えば、ＲａｃｈＣｏｍｍｏｎＵｓａｇｅ）を使用して、非補助アップリンク構成（例えば、ｎｏｎ−ＳｕｐｐｌｅｍｅｎｔａｒｙＵｐｌｉｎｋＣｏｎｆｉｇ  ＩＥ，ＵｐｌｉｎｋＣｏｎｆｉｇ  ＩＥ、ＦｒｅｑｕｅｎｃｙＩｎｆｏＵＬ  ＩＥ、ＵｐｌｉｎｋＣｏｎｆｉｇ  ＩＥ）に、ブーリアン値は割り当てられてもよい。いくつかの実施形態において、ＮＲ  ｇＮＢ／セルは、サービングセル構成を介してＵＥへのＳＵＬキャリアを構成してよい。サービングセル構成は、ランダムアクセスパラメータを備えてよい。いくつかの実施形態において、ランダムアクセスパラメータをＮＵＬキャリアに関連付けるために、非補助アップリンク構成で１つのブーリアンインジケータが要求されてもよい。例えば、ブーリアンインジケータが「１」である場合、ランダムアクセスパラメータは、ＮＵＬキャリアに関連付けられてもよい。ブーリアンインジケータが「０」である場合、ランダムアクセスパラメータは、ＮＵＬキャリアに関連付けられなくてもよい。ブーリアンインジケータが「０」である場合、ランダムアクセスパラメータは別のアップリンクキャリア（例えば、ＳＵＬキャリア）に関連付けられてもよい。
【００５６】
いくつかの実施形態において、サービングセル構成の中でＮＵＬキャリア（例えば、ＦｒｅｑｕｅｎｃｙＩｎｆｏＵＬ  ＩＥ、ＵｐｌｉｎｋＣｏｎｆｉｇ  ＩＥ、ＵｐｌｉｎｋＣｏｎｆｉｇＣｏｍｍｏｎ  ＩＥ）のための構成が存在しておらず、ＳＵＬキャリア（例えば、ＳｕｐｐｌｅｍｅｎｔａｒｙＵｐｌｉｎｋ  ＩＥの中のＦｒｅｑｕｅｎｃｙＩｎｆｏＵＬ、ＳｕｐｐｌｅｍｅｎｔａｒｙＵｐｌｉｎｋ  ＩＥ，ＳｕｐｐｌｅｍｅｎｔａｒｙＵｐｌｉｎｋＣｏｎｆｉｇ  ＩＥ、ＵｐｌｉｎｋＣｏｎｆｉｇ  ＩＥ、ＵｐｌｉｎｋＣｏｎｆｉｇＣｏｍｍｏｎＳＩＢ  ＩＥ）のための構成のみが存在している場合、とりわけコンテンションベースのランダムアクセスパラメータに対応する共通ＲＡＣＨ構成は、暗黙的にＳＵＬキャリアと関連付けられていると考えられる。共通ＲＡＣＨ構成は、サービングセル構成に含まれてもよい。いくつかの実施形態において、サービングセル内の構成にＮＵＬキャリアのための構成が存在せず、ＳＵＬキャリアのための構成のみが存在する場合、コンテンションフリーランダムアクセスパラメータに特異的に対応する専用ランダムアクセス構成（例えば、ＲＡＣＨ−ＣｏｎｆｉｇＤｅｄｉｃａｔｅｄ  ＩＥ）は、ＳＵＬキャリアに暗黙的に関連付けられていると考えられる。専用ランダムアクセス構成は、サービングセル構成に含まれてもよい。いくつかの実施形態において、サービングセル構成にＳＵＬキャリアのための構成が存在せず、ＮＵＬキャリアのための構成のみが存在する場合、コンテンションベースのランダムアクセスパラメータに特異的に対応する共通ＲＡＣＨ構成はＮＵＬキャリアに暗黙的に関連すると見なされ得る。共通ＲＡＣＨ構成は、サービングセル構成に含まれてもよい。いくつかの実装形態において、サービングセル構成にＳＵＬキャリアのための構成が存在せず、ＮＵＬキャリアのための構成のみが存在する場合、コンテンションフリーランダムアクセスパラメータに特異的に対応する専用ランダムアクセス構成はＮＵＬキャリアに暗黙的に関連すると見なされ得る。専用ランダムアクセス構成は、サービングセル構成に含まれ得る。
【００５７】
いくつかの実施形態において、ＳＵＬ、ＮＵＬ、または両方のアップリンクキャリアに関連付けられたコンテンションベースのランダムアクセスパラメータを示すために、選択インジケータは、共通ＲＡＣＨ構成に含めることができる。いくつかの実施形態において、ＳＵＬ、ＮＵＬ、または両方のアップリンクキャリアに関連付けられたコンテンションフリーランダムアクセスパラメータを示すために、選択インジケータを専用ランダムアクセス構成に含めることができる。選択インジケータは、１つのセルが３つ以上のアップリンクキャリアをサポートする場合、前方互換性の拡張を可能にする。いくつかの実施形態において、コンテンションベースのランダムアクセスパラメータが特定のアップリンクキャリアに関連付けられているかどうかを示すために、共通ＲＡＣＨ構成にブーリアンインジケータを含めることができる。例えば、ブーリアンインジケータが”１”の場合、ＵＥはＳＵＬキャリアに共通ＲＡＣＨ設定を適用してよい。ブーリアンインジケータが”０”の場合、ＵＥはＮＵＬに共通ＲＡＣＨ設定を適用してよい。いくつかの実施形態において、コンテンションフリーランダムアクセスパラメータが特定のアップリンクキャリアに関連付けられているかどうかを示すブーリアンインジケータが専用のランダムアクセス設定に含まれていてもよい。例えば、ブーリアンインジケータが”１”の場合、ＵＥはＳＵＬキャリアに専用のランダムアクセス設定を適用してよい。ブーリアンインジケータが”０”の場合、ＵＥはＮＵＬに専用のランダムアクセス設定を適用してもよい。インジケータ（例えば、選択インジケータ、ブーリアンインジケータ）を含む共通ＲＡＣＨ構成は、ＳＵＬキャリアのための補助アップリンク構成および／またはＮＵＬキャリアのためのノーマルアップリンク構成といったアップリンクキャリア構成において、搬送されないことがあることに留意されたい。インジケータ（例えば、選択インジケータ、ブーリアンインジケータ）を含む専用ランダムアクセス構成は、ＳＵＬキャリアのための補助アップリンク構成および／またはＮＵＬキャリアのためのノーマルアップリンク構成といったアップリンクキャリア構成において、搬送されないことがあることに留意されたい。
【００５８】
一実施形態において、ＮＲ  ｇＮＢ／セルがＲＲＣメッセージ（例えば、ＲＲＣ再構成メッセージ）を介して構成情報を送信し、ＳＵＬに特有のコンテンションフリーランダムアクセスパラメータを用いてＲＲＣ＿ＣＯＮＮＥＣＴＥＤ  ＵＥを構成してよい。構成情報内で搬送される特殊なセル構成は、コンテンションフリーランダムアクセスパラメータを搬送する専用ランダムアクセス構成を含む同期再構成を含んでよい。インジケータは、コンテンションフリーランダムアクセスパラメータといったものをＳＵＬキャリアまたはＮＵＬキャリアのいずれかに明示的に関連付けるために、専用ランダムアクセス構成と共に提供され得る。例えば、ブーリアンインジケータまたは選択インジケータをこの場合に適用することができる。
【００５９】
いくつかの実施形態において、ＵＥはデフォルトでＳＵＬキャリアにコンテンションベースのランダムアクセス構成を採用してもよい。ただし、ＮＲ  ｇＮＢ／セルがＳＵＬキャリアでコンテンションフリーランダムアクセス構成のみを設定する場合、ＵＥはコンテンションフリーランダムアクセス手順を実行できる。ＮＲ  ｇＮＢ／セルがＳＵＬキャリアのコンテンションフリーランダムアクセスパラメータとコンテンションベースのランダムアクセスパラメータの両方を設定する場合、ＵＥはアップリンクトラフィックの種類に基づいてフォローするランダムアクセスパラメータを選択できる。ＮＲ  ｇＮＢ／セルがＳＵＬキャリアのコンテンションフリーランダムアクセスパラメータとコンテンションベースランダムアクセスパラメータの両方を設定する場合、ＵＥは、ＲＳＲＰ閾値に基づいてフォローするランダムアクセスパラメータを選択できる。例えば、ランダムアクセスリソースに関連付けられた測定されたＤＬ  ＲＳＲＰ（例えば、ＳＳブロック、ＣＳＩ−ＲＳ）はＲＳＲＰ閾値よりも高く、ＵＥは、ＳＵＬキャリア上でコンテンションフリーランダムアクセスパラメータを選択してよい。
【００６０】
本開示の一実施形態において、ＮＲ  ｇＮＢ／セルがセル（例えば、ＳｐＣｅｌｌ、ＳＣｅｌｌ）においてのみ非ＳＵＬキャリアを用いてＲＲＣ＿ＣＯＮＮＥＣＴＥＤ  ＵＥを構成するために構成情報を送信してよい。
【００６１】
いくつかの実施形態において、特殊なセル構成が非補助アップリンク構成を含む同期再構成を搬送してよい。非補助アップリンク構成は、非ＳＵＬキャリアのための周波数情報を有してよい。非ＳＵＬキャリアのために他の情報が必要とされる場合、非ＳＵＬキャリアのための周波数情報、およびそのような非ＳＵＬキャリアに対応するランダムアクセス情報などの他の情報を含めるために、新しい構成が必要とされ得る（例えば、非補足アップリンクＩＥ、アップリンク構成共通ＩＥ、アップリンク構成ＩＥ）。
【００６２】
特殊なセル構成における補助アップリンク構成は、存在しても存在しなくてもよい。ＳｐＣｅｌｌが非ＳＵＬキャリアのみで構成される場合、補助アップリンク構成が存在しても、補助アップリンク構成の値はヌルであり得る。すなわち、補助アップリンク構成（例えば、ＳｕｐｐｌｅｍｅｎｔａｒｙＵｐｌｉｎｋ  ＩＥ、ＳｕｐｐｌｅｍｅｎｔａｒｙＵｐｌｉｎｋＣｏｎｆｉｇ  ＩＥ、ＵｐｌｉｎｋＣｏｎｆｉｇ  ＩＥ、ＵｐｌｉｎｋＣｏｎｆｉｇＣｏｍｍｏｎＳＩＢ  ＩＥ）は、空白である。
【００６３】
非ＳＵＬ構成は、特に非ＳＵＬキャリアに対するコンテンションベースのランダムアクセスパラメータを含む共通ＲＡＣＨ構成を含んでよい。いくつかの実施形態において、セルがＳＵＬキャリアで構成されていない場合、サービングセル構成はＳＵＬキャリアのための周波数情報を含まなくてよい。例えば、サービングセル構成は、補助アップリンク構成を含まなくてよい。
【００６４】
インジケータ（例えば、ブーリアンインジケータまたは選択インジケータ）は、共通ＲＡＣＨ構成において使用され得る。
【００６５】
いくつかの実施形態において、ＵＥはデフォルトで非ＳＵＬキャリアにコンテンションベースのランダムアクセス構成を採用してよい。ただし、ＮＲ  ｇＮＢ／セルが非ＳＵＬキャリアのコンテンションフリーランダムアクセス構成のみを設定する場合、ＵＥはコンテンションフリーランダムアクセス手順を実行してよい。ＮＲ  ｇＮＢ／セルが非ＳＵＬキャリアでコンテンションフリーランダムアクセスパラメータおよびコンテンションベースのランダムアクセスパラメータの両方を設定する場合、ＵＥは、アップリンクトラフィックタイプに基づいて、フォローするランダムアクセスパラメータを選択してよい。ＮＲ  ｇＮＢ／セルが非ＳＵＬキャリアにコンテンションフリーランダムアクセスパラメータおよびコンテンションベースランダムアクセスパラメータの両方を設定する場合、ＵＥはＲＳＲＰ閾値に基づいてフォローするランダムアクセスパラメータを選択できる。例えば、ランダムアクセスリソースに関連付けられた測定されたＤＬ  ＲＳＲＰ（例えば、ＳＳブロック、ＣＳＩ−ＲＳ）はＲＳＲＰ閾値よりも高く、ＵＥは非ＳＵＬキャリア上でコンテンションフリーランダムアクセスパラメータを選択してよい。
【００６６】
図８は、本開示の様々な例示的な実施形態による、無線通信のための装置のブロック図を示す。図８に示すように、装置８００は、トランシーバ８２０、プロセッサ８２６、メモリ８２８、１つまたは複数の表示構成要素８３４、および少なくとも１つのアンテナ６３６を含んでよい。装置８００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏ構成要素、および電源（図８には明示的に示されていない）を含んでよい。これらの構成要素のそれぞれは、１つ以上のバス８２６を介して、直接的または間接的に互いに通信することができる。
【００６７】
送信機８２２および受信機８２４を有するトランシーバ８２０は、時間および／または周波数リソース分割情報を送信および／または受信するように構成され得る。いくつかの実施形態において、トランシーバ８２０が使用可能、使用不可能、および柔軟に使用可能なサブフレームおよびスロットフォーマットを含むが、これらに限定されない、異なるタイプのサブフレームおよびスロットで送信するように構成され得る。トランシーバ８２０は、データおよび制御チャネルを受信するように構成され得る。
【００６８】
装置８００は、様々なコンピュータ読み取り可能媒体を含んでよい。コンピュータ読み取り可能媒体は、装置８００によってアクセスされ得る任意の利用可能な媒体であり得、揮発性および不揮発性媒体、取り外し可能および非取り外し可能媒体の両方を含んでもよい。コンピュータ読み取り可能媒体は、ノード９００によってアクセスすることができ、揮発性および不揮発性媒体、リムーバブルおよび非リムーバブル媒体の両方を含む、任意の利用可能な媒体とすることができる。コンピュータ記憶媒体は、コンピュータ読み取り可能命令、データ構造、プログラムモジュール、または他のデータといった情報の記憶のための任意の方法または技術で実施される揮発性および不揮発性、取り外し可能および非取り外し可能媒体の両方を含む。
【００６９】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝搬データ信号を含まない。通信媒体は、一般的に、搬送波といった、コンピュータ読み取り可能命令、データ構造、プログラムモジュール、または他のデータ信号を具現化し、すべての情報送信媒体を含む。「変調されたデータ信号」という用語は、その特性のうちの１つまたは複数が信号内に符号化されるように設定または変更された信号を意味する。例として、通信媒体は、有線ネットワークまたは直接有線接続などの有線媒体と、音響、ＲＦ、赤外線、および他の無線媒体などの無線媒体とを含むが、これに限定するものではない。上記の全ての組み合わせは、コンピュータ読み取り可能媒体の範囲に含まれる。
【００７０】
メモリ８２８は、揮発性および／または不揮発性メモリの形態のコンピュータ記憶媒体を含んでよい。メモリ８２８は、取り外し可能、取り外し不可能、またはそれらの組み合わせであってよい。例示的なメモリは、ソリッドステートメモリ、ハードドライブ、光ディスクドライブなどを含む。図８に示すように、メモリ８２８は、実行時にプロセッサ８２６に、例えば図１から図７を参照して本明細書に記載される種々の機能を実行させるように構成された、コンピュータ読み取り可能なコンピュータ実行可能命令８３２（例えば、ソフトウェアコード）を記憶することができる。あるいは、命令６３２がプロセッサ８２６によって直接実行可能ではなく、（例えば、命令がコンパイルされ実行される場合に、）装置８００に、本明細書に記載される種々の機能を実行させるように構成されてもよい。
【００７１】
プロセッサ８２６は、インテリジェントハードウェアデバイス、例えば、中央処理装置（ＣＰＵ）、マイクロコントローラ、ＡＳＩＣなどを含むことができる。プロセッサ８２６は、メモリを含んでもよい。プロセッサ８２６は、メモリ８２８から受信したデータ８３０および命令８３２、ならびにトランシーバ８２０、ベースバンド通信モジュール、および／またはネットワーク通信モジュールを介した情報を処理することができる。プロセッサ８２６はまた、コアネットワークへの送信のために、アンテナ８３６を介してネットワーク通信モジュールに送信するためにトランシーバ８２０に送信される情報を処理することができる。
【００７２】
１つ以上の表示構成要素８３４は、人または他の装置にデータ指示を提示する。例示的な１つ以上の表示構成要素８３４は、表示装置、スピーカー、印刷構成要素、振動構成要素などを含む。
【００７３】
上記の説明から、様々な技術が、それらの概念の範囲から逸脱することなく、本開示で説明される概念を実施するために使用されることができることが明らかである。さらに、概念は特定の実施形態を特に参照して説明されたが、当業者はそれらの概念の範囲から逸脱することなく、形態および詳細において変化がなされ得ることを認識するのであろう。したがって、説明された態様形態はすべての点において、例示的なものであり、限定的なものではないと考えられるべきである。また、本開示は、上述した特定の実施形態に限定されるものではなく、本開示の範囲から逸脱することなく、多くの再構成、修正、および置換が可能であることを理解されたい。
【図１】
2021510271.tif 000003
【図２】
2021510271.tif 000004
【図３Ａ】
2021510271.tif 000005
【図３Ｂ】
2021510271.tif 000006
【図４】
2021510271.tif 000007
【図５】
2021510271.tif 000008
【図６】
2021510271.tif 000009
【図７】
2021510271.tif 000010
【図８】
2021510271.tif 000011
【国際調査報告】
2021510271.tif 000012
2021510271.tif 000013